(57)【要約】      （修正有）【課題】多段積みに対する耐圧強度が高く、かつ汎用性に優れ、軽量かつ薄型化により、環境負荷の低減、搬送効率の向上、在庫スペースの削減を実現できる段ボール箱を提供する。【解決手段】４つの側壁を有する四角筒状部と、上記各側壁の各上縁から延出する４つの上側フラップ６、８、９等と、上記各側壁の各下縁から延出する４つの下側フラップ１０〜１３とを備える段ボール箱であって、上記側壁中の一の側壁から延出する上側フラップが、補強構造として、一の側壁の上縁から延出する外側天井部１５と、この外側天井部１５の先端縁側から延出する内側天井部１７と、この内側天井部１７の先端縁から延出する内壁部１８とを有し、上記一の側壁の高さと内壁部１８の延出方向長さとが等しく、外側天井部１５の延出方向長さと内側天井部１７の延出方向長さとが等しいことを特徴とする。【選択図】図２
0003157149.tif 000002
【実用新案登録請求の範囲】
【請求項１】
４つの側壁を有する四角筒状部と、
上記各側壁の各上縁から延出する４つの上側フラップと、
上記各側壁の各下縁から延出する４つの下側フラップと
を備え、
一枚の段ボール紙から組み立てられる段ボール箱であって、
上記側壁中の一の側壁から延出する上側フラップが、一の側壁の内側に重なり合う補強構造を備え、この補強構造として、一の側壁の上縁から延出する矩形状の外側天井部と、この外側天井部の先端縁側から延出する矩形状の内側天井部と、この内側天井部の先端縁から延出する矩形状の内壁部とを有し、
上記一の側壁の高さと内壁部の延出方向長さとが等しく、
外側天井部の延出方向長さと内側天井部の延出方向長さとが等しいことを特徴とする段ボール箱。
【請求項２】
上記外側天井部と内側天井部との間に帯状の折曲端面部を有している請求項１に記載の段ボール箱。
【請求項３】
上記補強構造が、対向する一対の上側フラップに備えられる請求項１又は請求項２に記載の段ボール箱。
【請求項４】
上記内側天井部の先端縁に列設される複数の線分状切欠を有する請求項１、請求項２又は請求項３に記載の段ボール箱。
【請求項５】
少なくとも１つの上記側壁の上縁に列設される複数のコの字状切欠を有し、
上記コの字状切欠が側壁の上方向又は下方向に開口している請求項１から請求項４のいずれか１項に記載の段ボール箱。
【考案の詳細な説明】
【技術分野】
【０００１】
本考案は、一枚の段ボール紙から組み立てられる段ボール箱に関し、詳細には、上下方向の耐圧強度が高い段ボール箱に関するものである。
【背景技術】
【０００２】
従来、段ボール箱は、輸送から商品陳列までの間、複数の商品をまとめて収容する容器として、あるいは家電製品、鉢植え等の重量物商品を販売する際の包装容器として用いられている。従来の一般的な段ボール箱は、４つの側壁を有する四角筒状部と、上記各側壁の各上縁から延出する４つの上側フラップと、上記各側壁の各下縁から延出する４つの下側フラップとを備えている。このような段ボール箱は、上記上側及び下側内フラップを四角筒状部の内側に直角に折り込み、上側及び下側外フラップを四角筒状部の内側に直角に折り込み、各内フラップの外側に各外フラップが重ねられた状態で封緘されることで直方体状を形成するように構成されている。この際、下側の内フラップ及び外フラップが段ボール箱の底板を形成し、上側の内フラップ及び外フラップが段ボール箱の蓋を形成することとなる。
【０００３】
この段ボール箱は、強固で厚い段ボール紙から作られているため、優れた強度を有している。従って通常、商品等を梱包した段ボール箱を多段に積んだ場合においても、段ボール箱が変形することなく、梱包した商品等を保護することができる。しかしながら、商品として、本など重量のあるものが梱包された段ボール箱は、多段積みした際に、この重量に耐えきることができないことがある。この場合、段ボール箱は、変形し、場合によっては商品を傷付けるおそれもある。そこで、重量のある商品を梱包する場合の段ボール箱には、耐圧強度を上げるために、段ボール紙としてＡフルート、Ｃフルート、あるいはＷフルートなどの厚手のものを使用することが一般的になされている。しかしながら、段ボール紙として厚手のものを使用すると、段ボール箱自体の重量が増加し、また、段ボールシートの段階での厚さが嵩むため、環境負荷が増加する、搬送効率が低下する、在庫スペースが増加する等の不都合が存在する。
【０００４】
このような不都合を解決するために、二重側壁を備え、さらにこの二重側壁の隙間に挿嵌される補強内壁を備えるものが提案されている（例えば、特開２００３−１５５０２８号公報等参照）。しかしながら、この補強内壁を備える段ボール箱は、形状が複雑であるため汎用性が乏しく、取扱性も高いとはいえない。また、この段ボール箱は、補強内壁が別体に作られており、部品点数及び量が増加しているため、環境負荷の増加、搬送効率の低下及び在庫スペースの増加を解決するには至っていない。
【先行技術文献】
【特許文献】
【０００５】
【特許文献１】特開２００３−１５５０２８号公報
【考案の概要】
【考案が解決しようとする課題】
【０００６】
本考案はこれらの不都合に鑑みてなされたものであり、多段積みに対する耐圧強度が高く、かつ汎用性に優れ、軽量かつ薄型化により、環境負荷の低減、搬送効率の向上、在庫スペースの削減を実現できる段ボール箱の提供を目的とするものである。
【課題を解決するための手段】
【０００７】
上記課題を解決するためになされた考案は、
４つの側壁を有する四角筒状部と、
上記各側壁の各上縁から延出する４つの上側フラップと、
上記各側壁の各下縁から延出する４つの下側フラップと
を備え、
一枚の段ボール紙から組み立てられる段ボール箱であって、
上記側壁中の一の側壁から延出する上側フラップが、一の側壁の内側に重なり合う補強構造を備え、この補強構造として、一の側壁の上縁から延出する矩形状の外側天井部と、この外側天井部の先端縁側から延出する矩形状の内側天井部と、この内側天井部の先端縁から延出する矩形状の内壁部とを有し、
上記一の側壁の高さと内壁部の延出方向長さとが等しく、
外側天井部の延出方向長さと内側天井部の延出方向長さとが等しいことを特徴とする。
【０００８】
当該段ボール箱によれば、一の側壁の内側に重なり合う補強構造を有することで、重量のある商品を梱包した際の多段積みに対する耐圧強度を高めることができる。特に、当該段ボール箱によれば、一の上側フラップを外側天井部と内側天井部との間で内側に折り込み、さらに外側天井部及び内側天井部を内側に折り込むことで、内壁部が一の側壁の内側の面に重なり合って垂直に固定されることとなるため、上下方向の圧縮に対して高い強度を有することとなる。加えて、当該段ボール箱によれば、内壁部を側壁の内側の面に重なり合って固定させることができるため、段ボール箱の容積及び内側の形状は従来と変わらない直方体形状であり、高い汎用性を有し、従来の段ボール箱と同様に様々なものを梱包することができる。
【０００９】
また、当該段ボール箱によれば、このように内壁部と側壁の二重の壁を形成することで強度を高めることができるため、従来より薄い段ボール紙を使っても高い耐圧強度を発揮することができる。従って、当該段ボール箱によれば、軽量化及び薄型化が実現でき、環境負荷の低減、搬送効率の向上及び在庫スペースの削減をすることができる。
【００１０】
当該段ボール箱は、上記外側天井部と内側天井部との間に帯状の折曲端面部を有しているとよい。当該段ボール箱によれば、帯状の折曲端面部をさらに有することで、外側天井部と内側天井部との間を内側に折り込んだ際に、外側天井部と内側天井部との間の反発を抑えることができるため、組み立てや商品梱包における作業性が向上される。
【００１１】
上記補強構造は、対向する一対の上側フラップに備えられるとよい。当該段ボール箱によれば、このように補強構造が対向する一対の上側フラップに備えられることで、上下方向の耐圧強度を偏りなく、さらに向上させることができるともに、横方向（一対の上側フラップの長手方向）の耐圧強度を偏りなく向上させることができる。
【００１２】
当該段ボール箱は、上記内側天井部の先端縁に列設される複数の線分状切欠を有することが好ましい。当該段ボール箱によれば、このように内側天井部の先端縁に列設される複数の線分状切欠を有することで、内側天井部と内壁部との間を内側に容易に折り込むことができる。
【００１３】
当該段ボール箱は、少なくとも１つの上記側壁の上縁に列設される複数のコの字状切欠を有し、上記コの字状切欠が側壁の上方向又は下方向に開口しているとよい。当該段ボール箱によれば、上側フラップを折り曲げた際に、このコの字状切欠によって突起が形成され、この突起によって、上側フラップを折り曲げた状態で固定することができる。
【００１４】
なお、本考案における「上側」及び「下側」とは、通常段ボール箱として用いられる際の側壁の方向（開閉する側を「上側」、底となる側を「下側」）として便宜上定めたものであって、製品として使用される際にこの方向に限定されるものではない。また、本考案において長さが「等しい」とは、段ボール紙の厚さを考慮せず、実質的に長さが等しいことをいう。
【考案の効果】
【００１５】
以上説明したように、本考案の段ボール箱によれば、多段積みに対する耐圧強度が高くかつ汎用性に優れ、環境負荷を低減することができる。
【図面の簡単な説明】
【００１６】
【図１】本発明の一実施形態に係る段ボール箱を示す展開図である。
【図２】（ａ）は図１の段ボール箱の模式的斜視図であり、（ｂ）はそのＡ−Ａ’線矢視模式的部分断面図である。
【図３】（ａ）及び（ｂ）は図１の段ボール箱の組み立て途中の状態を示す斜視図である。
【図４】図１の段ボール箱とは異なる実施形態に係る段ボール箱を示す展開図である。
【図５】（ａ）は図４の段ボール箱の部分的斜視図であり、（ｂ）はそのＢ−Ｂ’線矢視模式的部分断面図である。
【考案を実施するための形態】
【００１７】
以下、適宜図面を参照しつつ、本考案の実施の形態を詳説する。
【００１８】
図１及び図２の段ボール箱１は、一枚の段ボール紙から組み立てられ、４つの側壁（側壁２、側壁３、側壁４及び側壁５）を有する四角筒状部と、上記各側壁２、３、４及び５の各上縁から延出する４つの上側フラップ（上側フラップ６、上側フラップ７、上側フラップ８及び上側フラップ９）と、上記各側壁２、３、４及び５の各下縁から延出する４つの下側フラップ（下側フラップ１０、下側フラップ１１、下側フラップ１２及び下側フラップ１３）とを備えている。
【００１９】
この段ボール箱１は、図２（ａ）に示されるように封緘状態で直方体形状に形成され、均一な厚さの一枚の段ボール紙を用いて形成される。当該段ボール箱１のサイズとしては特に限定されず、内容物である商品の大きさ等を考慮して適宜設定される。なお、図１の段ボール箱１の展開図中の細線は折目線を示しており、これらの折目には折り曲げを容易にする罫線加工が施されていることが好ましい。
【００２０】
４つの側壁２、３、４及び５は、対向する２組（側壁２と側壁４及び側壁３と側壁５）がそれぞれ同型及び同サイズの矩形形状を有し、４つの側壁全てが等しい高さＬ３に形成されている。これらの側壁２、３、４及び５によって、直方体形状を有する四角筒状部が形成される。
【００２１】
４つの側壁中、展開図である図１において端に位置する側壁２は、側縁に糊代部１４を備えている。当該糊代部１４によれば、四角筒状部を形成する際に、当該糊代部１４を他の側壁５の側縁と側壁２の側縁とが接するように側壁５の内面に接着させることにより、四角筒状部を筒状に固定することができる。
【００２２】
４つの上側フラップ６、７、８及び９は、対向する２組（上側フラップ６と上側フラップ８及び上側フラップ７と上側フラップ９）がそれぞれ同型及び同サイズの矩形形状を有し、４つの上側フラップ全てが等しい延出方向長さを有している。なお、組み立てた際、上側フラップ６と上側フラップ８とが外側の上側フラップとなり、上側フラップ７と上側フラップ９とが内側の上側フラップとなる。
【００２３】
また、４つの下面側フラップ１０、１１、１２及び１３も、対向する２組（下側フラップ１０と下側フラップ１２及び下側フラップ１１と下側フラップ１３）がそれぞれ同型及び同サイズの矩形形状を有し、４つの下側フラップ全てが等しい延出方向長さを有している。なお、組み立てた際、下側フラップ１０と下側フラップ１２とが外側の下側フラップとなり、下側フラップ１１と下側フラップ１３とが内側の下側フラップとなる。
【００２４】
上側フラップ６、７、８及び９と下側フラップ１０、１１、１２及び１３の延出方向長さは等しく、従って各側壁２、３、４及び５の上縁及び下縁から延出する上側フラップと下側フラップとは同型及び同サイズとなる。
【００２５】
対向する一対の内側の上側フラップ７及び９は、それぞれ、側壁３及び５の内側に重なり合う補強構造を備えている。この補強構造として、上側フラップ７及び９は、それぞれ側壁３及び５の上縁から延出する外側天井部１５と、この外側天井部１５の先端縁から延出する折曲端面部１６と、この折曲端面部１６の先端縁から延出する内側天井部１７と、この内側天井部１７の先端縁から延出する内壁部１８とを有している。
【００２６】
外側天井部１５及び内側天井部１７は矩形形状を有している。また、外側天井部１５の延出方向長さＬ１（幅）と内側天井部１７の延出方向長さＬ２（幅）とは等しい。すなわち外側天井部１５と内側天井部１７とは同型及び同サイズとなっている。この外側天井部１５と内側天井部１７とは、組み立てられた際に内側の上面フラップにおいて重なり合って二重のフラップとして機能するため、当該段ボール箱１の強度を高めることができる。特に、当該段ボール箱１によれば、このような外側天井部１５及び内側天井部１７を備えることで、この天井部１５及び１７に対する長手方向の耐圧強度を高めることができる。
【００２７】
外側天井部１５及び内側天井部１７の延出方向長さ（Ｌ１及びＬ２）としては、特に限定されないが、下限として３ｃｍが好ましく、５ｃｍが特に好ましい。また、この延出方向長さの上限としては、１０ｃｍが好ましく、８ｃｍが特に好ましい。外側天井部１５及び内側天井部１７の延出方向長さが上記下限より小さいと、当該段ボール箱の耐圧強度、特に天井部に対する長手方向の耐圧強度が低下するおそれがある。逆に、この延出方向長さが上記上限を超えると、この段ボール箱１への商品等の梱包作業効率化が低下するおそれがある。
【００２８】
折曲端面部１６は帯状形状を有している。当該折曲端面部１６は、所定の幅（延出方向長さ）を備えることで、外側天井部１５と内側天井部１７との間を折り曲げやすくすることができる。当該段ボール箱１によれば、この外側天井部１５と内側天井部１７とは内面同士が接し合うように１８０度折り曲げられるが、このように両天井部１５、１７間に折曲端面部１６を有することで、この折り曲げを容易に行うことができる。また、当該折曲端面部は、この天井部１５及び１７が１８０度折り曲がった状態に対する負荷を低減することにより、両天井部１５及び１７の反発を抑え、内側の上側フラップ７、９を容易に固定することができる。
【００２９】
この折曲端面部１６の幅（延出方向長さ）としては、当該段ボール箱１を形成する段ボール紙の厚さの２倍程度が好ましい。例えばこの段ボール箱１がＢフルートの段ボール紙で形成されている場合、折曲端面部１６の幅の下限としては、４ｍｍが好ましく、５ｍｍが特に好ましい。一方、この幅の上限としては１０ｍｍが好ましく、８ｍｍが特に好ましい。この折曲端面部１６の幅が上記下限より小さいと、両天井部１５、１７間を１８０度折り曲げ、その状態で固定することに負荷がかかるため、上側フラップ７、９の固定が困難となる。逆に、この折曲端面部１６の幅が上記上限より大きいと、組み立てた際の上側フラップ７、９の形状安定性が低下し、特に上下方向に対する耐圧強度が低下するおそれがある。
【００３０】
内壁部１８は矩形形状を有している。また、当該内壁部１８の延出方向長さＬ４は側壁３の高さＬ３と等しくなっている。すなわち、内壁部１８と側壁３とは同型及び同サイズとなっている。当該段ボール箱１によれば、組み立てた際に側壁３と内壁部１８（及び側壁５と上側フラップ９の内壁部１８）とが二重の壁を形成することとなるため、上下方向の耐圧強度が向上する。
【００３１】
上側フラップ７及び９において、側壁３及び５と外側天井部１５との間に折目線１９、外側天井部１５と折曲端面部１６との間に折目線２０、折曲端面部１６と内側天井部１７との間に折目線２１、内側天井部１７と内壁部１８との間に折目線２２がそれぞれ設けられる。この折目線１９〜２２によれば、この内フラップ７及び９の折り曲げを容易にし、二重壁を容易かつ確実に形成し、固定することができる。
【００３２】
折目線２２、すなわち内側天井部１７の先端縁には、複数の線分状切欠２３が列設されている。通常、段ボール紙の各折目線は、製函機に組み込まれた折目形成用罫型を一方側から押圧する罫線加工によって形成される。このように設けられた折目線は、押圧された側が凹部となるため、押圧された側に容易に折り曲げることができる。当該段ボール箱１においては、折目線２２（内側天井部１７の先端縁）以外の折目線は同一方向（側壁を基準に四角筒状部の内側方向）に折り曲げることとなるが、折目線２２だけは逆方向に折り曲げることとなる。従って、押圧により凹部を形成する罫線加工によれば、逆の面側から折目線２２を形成する必要があるが、この折目線２２のみを逆方向の罫線加工を施すと作業性が低下する。しかしながら、当該折目線２２には複数の線分状切欠２３が列設され、この線分状切欠２３は、他の折目線の罫線加工と同一方向から設けることができるため、作業効率の低下を抑えることができる。
【００３３】
この折目線２２における線分状切欠２３は、全て等しい長さであることが好ましく、具体的には１ｃｍ以上５ｃｍ以下が好ましい。この線分状切欠２３の長さが１ｃｍより短いとこの上側フラップ７及び９の折り曲げやすさが十分に向上しない。逆に、この線分状切欠２３の長さが５ｃｍより長いと、上側フラップ７及び９が折り曲がりやすすぎて、段ボール箱としての強度が低下するおそれがある。
【００３４】
また、この線分状切欠２３は等間隔で列設されていることがさらに好ましい。すなわちこの折目線２２における非線分状切欠部分が、全て等しい長さであることが好ましく、具体的には１ｃｍ以上５ｃｍ以下が好ましい。この非線分状切欠部分の長さが１ｃｍより短い場合は、上側フラップ７及び９が折り曲がりやすすぎて、段ボール箱としての強度が低下するおそれがある。逆に、この非線分状切欠部分の長さが５ｃｍより長いと、この上側フラップ７及び９の折り曲げやすさが十分に向上しない。
【００３５】
次に、当該段ボール箱１の組み立て方法及び使用方法について図１及び図３を主に参照して説明する。
【００３６】
当該段ボール箱１は、前述したとおり図１に示される展開図を有しており、糊代部１４は側壁５の端縁部分と、４つの側壁が四角筒状部を形成するように接着されている。この段ボール箱１は、下側フラップ１１及び１３を四角筒状部の内側に垂直に折り込まれ、続けて下側フラップ１０及び１２を四角筒状部の内側に垂直に折り込まれることで、図３（ａ）に示されるように、当該段ボール箱１の底が形成される。
【００３７】
次に、一対の内側の上側フラップ７及び９は、折目線２０及び折目線２１に沿って、四角筒状部内側方向に折り込まれる。当該段ボール箱１は、側壁３の高さＬ３と内壁部１８の延出方向長さＬ４とが等しく、外側天井部１５の延出方向長さＬ１と内側天井部１７の延出方向長さＬ２とが等しい。従って、折目線２０及び折目線２１に沿って、上側フラップ７及び９を折り込んだ際、外側天井部１５と内側天井部１７と、及び側壁３と内壁部１８とがそれぞれ重なり合う（図３（ｂ）参照）。更には、内壁部１８の先端縁２４は、側壁３と下側フラップ１１又は１３とが形成する辺の内側に接することとなる。この内壁部１８は側壁３と同型同サイズのため両端が側壁２及び側壁４によって挟まれ、かつ先端縁２４が側壁３と内側の下側フラップ１１又は１３との間に挟まっているため、反発することなく側壁３と重なった状態で固定されている。
【００３８】
更には、当該段ボール箱１は、折曲端面部１６を有しており、この折曲端面部１６の延出方向長さが、用いられている段ボール紙の厚さの２倍程度となっている。従って、図３（ｂ）の状態において、折り曲げられた内側の上面フラップ７及び９は、反発し、立ち上がる力が抑えられており、外側天井部１５及び内側天井部１７、側壁３又は５及び内壁部１８がそれぞれ重なった状態で容易に固定されている。
【００３９】
当該段ボール箱１によれば、このように折目線２０及び折目線２１に沿って、一対の内側の上側フラップ７及び９を内側に折り込み、固定することで、商品等の箱内への梱包を容易に行うことができる。通常の段ボール箱においては、各上側フラップが固定されない状態で商品の梱包作業をする必要があるため、商品や商品を持つ手などが上側フラップにあたることで作業の妨げとなる。しかしながら、当該段ボール箱１によれば、一組の内側の上側フラップ７及び９は上述の通り固定されている。また、一組の外側の上側フラップ６及び８は、固定はされていないものの、垂設している外側天井部１５及び内側天井部１７が妨げとなって、内側に折り曲がることができない状態となっている。従って、当該段ボール箱１によれば、各上側フラップ６〜９が、図３（ｂ）の状態において四角筒状部内側方向に折り曲がることがないため、商品の梱包の際にこれら上側フラップが商品等に当たって作業の妨げになることを防止することができる。
【００４０】
なお、この商品の梱包作業は、外側天井部１５及び内側天井部１７とを四角筒状部内側へ折り曲げた状態においても行うことができる。このように、外側天井部１５及び内側天井部１７とを四角筒状部内側へ折り曲げた状態においても、当該段ボール箱１によれば、内側の上側フラップ７及び９は折り曲げられているため、外側天井部１５及び内側天井部１７が商品等の梱包作業における妨げとなりにくく、また、外側の上側フラップ６及び８は、外側天井部１５及び内側天井部１７によって、内側へ折り曲がりにくくなっているためである。
【００４１】
図３（ｂ）の状態の段ボール箱１は、続いて、折目線１９及び折目線２２に沿って、内側の上側フラップ７及び９の外側天井部１５及び内側天井部１７が四角筒状部内側へ折り曲げられる（図２（ａ）参照）。このように、当該段ボール箱１によれば、内壁部１８を有することで、重量のある商品を梱包した際の多段積みに対する耐圧強度を高めることができる。また、当該段ボール箱１によれば、このように内側の上側フラップ７及び９を外側天井部１５と内側天井部１７との間で内側に折り込み、さらに外側天井部１５及び内側天井部１７を重ねて内側に折り込むことで、内壁部１８が側壁３又は５の内側の面に重なり合って垂直に固定されることとなる。従って、当該段ボール箱１は、上下方向の圧縮に対して高い強度を有することとなる。加えて、当該段ボール箱１によれば、内壁部１８を側壁３又は５の内側の面に重なり合って固定させることができ、箱の容積及び内側の形状は従来と変わらない直方体形状であるため、高い汎用性を有し、従来の段ボール箱と同様に様々なものを梱包することができる。
【００４２】
また、当該段ボール箱１によれば、図３（ｂ）に示される内側の上面フラップ７及び９が半分に折り曲げられた状態から、折目線１９及び２２に沿って、外側天井部１５及び内側天井部１７を内側に折り曲げる際に、図２（ｂ）に示されるように、内壁部１８の先端縁２４が垂直方向下方に押し下げられ、内側の下フラップ１１及び１３の後端縁を圧縮することとなる。当該段ボール箱１は、組み立てた際に、このように内側の下フラップ１１及び１３の後端縁が圧縮され、溝部分２５が形成される。当該段ボール箱１によれば、この溝部分２５に内壁部１８の先端縁２４が嵌め込まれることで、内壁部１８がさらに強固に、垂直かつ側壁３又は５と重なり合って固定されることとなる。従って、当該段ボール箱１によれば、組み立てられた状態において、例えば梱包物に隙間があるような場合においても、内壁部１８が垂直に固定されているため、傾きにくく、上下方向に高い耐圧強度を発揮することができる。
【００４３】
当該段ボール箱１に用いられる段ボール紙としては、特に限定されず、例えば片面段ボール紙、両面段ボール紙、複両面段ボール紙等を用いることができるが、耐圧強度及び軽量化の観点から両面段ボール紙を用いることが好ましい。
【００４４】
また、段ボール紙のフルート種としては、Ａフルート、Ｂフルート、Ｃフルート、ＡＢフルート、Ｅフルート等を用いることができるが、薄さ及び重量を低減させ、かつ十分な耐圧強度を発揮させる観点からＢフルートを用いることが好ましい。従来、重量のある商品の梱包には強度の強いＡフルート（厚さ約５ｍｍ）の段ボール紙が用いられている。しかしながら、Ｂフルート（厚さ約３ｍｍ）の段ボール紙を用いることで、当該段ボール箱１及び３１は、軽量化及び薄型化が実現でき、使用紙量の低減及び運搬エネルギーの低減の観点から環境負荷を低減させ、搬送効率の向上及び在庫スペースの削減を行うことができる。
【００４５】
また、当該段ボール箱１によれば、段ボール紙としてＢフルートを用いた場合にも、対向する一対の側壁においては、側壁３又は５と内壁部１８との二重壁、すなわちＷフルートを形成しているため、強い耐圧強度を備えることができる。
【００４６】
なお、当該段ボール箱１は、上記組み立て及び使用方法に限定されることなく、例えば図３（ａ）の状態で通常の形状の段ボール箱として使用することもできる。また、内側の上面フラップ７及び９のうち、片方のフラップのみを折り曲げて二重の側壁を形成することもできる。このように当該段ボール箱１によれば、梱包される商品等の形状、重量、その他作業性などに応じて、様々な方法で使用することができ、高い汎用性を発揮することができる。
【００４７】
図４の段ボール箱３１は４つの側壁（側壁２、側壁３３、側壁４及び側壁３５）を有する四角筒状部と、上記各側壁２、３３、４及び３５の各上縁から延出する４つの上側フラップ（上側フラップ６、上側フラップ３７、上側フラップ８及び上側フラップ３９）と、上記各側壁２、３、４及び５の各下縁から延出する４つの下側フラップ（下側フラップ１０、下側フラップ１１、下側フラップ１２及び下側フラップ１３）とを備えている。側壁３３及び３５と上側フラップ３７及び３９以外は、図１の段ボール箱１と同様であるため同一番号を付して説明を省略する。
【００４８】
段ボール箱３１は、側壁３３及び３５の上縁に列設される複数のコの字状切欠４０を有している。このコの字状切欠４０は、側壁の上方向に開口している。
【００４９】
このコの字状切欠４０は、扁平しており、すなわち底辺に略垂直な二辺が底辺に対して短く形成されている。この底辺に略垂直な二辺の長さとしては、この段ボール箱３１を形成する段ボール紙の厚さ程度であることが好ましい。例えば、段ボール箱３１がＢフルートの段ボール紙（厚さ約３ｍｍ）から形成される場合は、この二辺の長さとしては、２ｍｍ以上５ｍｍ以下が好ましく、２．５ｍｍ以上４ｍｍ以下がさらに好ましい。このような長さに二辺を設けることで、当該段ボール箱３１は、上側フラップ３７及び３９を折り曲げた際に、好適にその状態で固定されることができる。この二辺の長さが上記下限より小さいと上面側フラップの折り曲げが困難となるおそれがある。逆に、この二辺の長さが上記上限を超えると、上面側フラップを折り曲げた際の反発性の低減機能が十分に発揮されないおそれがある。
【００５０】
また、このコの字状切欠４０の底辺の長さとしては２ｃｍ以上５ｃｍ以下が好ましい。この底辺の長さが上記下限より小さいと、上面側フラップ３７及び３９を折り曲げた際の反発性の低減機能が十分に発揮されないおそれがある。逆にこの底辺の長さが上記上限を超えると、側壁３３又は３５と上面側フラップ３７又は３９とが接続する部分が短くなり上面側フラップ３７及び３９、ひいては段ボール箱３１の強度が低下するおそれがある。
【００５１】
また、このコの字状切欠４０それぞれの間隔としては、１ｃｍ以上４ｃｍ以下が好ましい。この間隔が上記上限より小さいと、側壁と上面側フラップとが接続する部分が短くなり、上面側フラップ、ひいては段ボール箱３１の強度が低下するおそれがある。逆に、この間隔が上記上限を超えると、上面側フラップを折り曲げにくくするおそれがある。
【００５２】
当該段ボール箱３１によれば、図５（ａ）に示されるように組み立てられ、上側フラップ３７及び３９を折り曲げた際に、このコの字状切欠４０によって突起４１が形成され、この突起４１によって、上側フラップ３９を折り曲げた状態で固定することができる。これは、図５（ｂ）の部分的断面図に示されるように、段ボール箱３１が組み立てられた際に、折り曲げられて形成される突起４１の下面ａが、側壁３５の上縁の上面ｂと略垂直に接するからである。すなわち、当該段ボール箱３１によれば、この上面側フラップ３９が開こうと反発するときに、側壁３５の上縁の上面ｂが突起４１の回転移動を妨げることによりこの反発を抑えることで上面側フラップの反発性を抑えることができる。
【００５３】
なお、本考案の段ボール箱は、上記実施形態に限定されるものではなく、例えば外側の上側フラップに、補強構造として、外側天井部、折曲端面部、内側天井部及び内壁部を設けることもでき、また、一組の内側の上フラップの一方のみに補強構造を設けることもできる。当該段ボール箱によれば、このように梱包される商品等の形状や重量等に応じて、耐圧強度を向上させる必要がある部分に補強構造を設けることで、様々なバリエーションを展開することができる。
【００５４】
また、本考案の段ボール箱は、折曲端面部を設けず、外側天井部と内側天井部とを連接させてもよい。このような段ボール箱においては、折り曲げた際の外側天井部と内側天井部間の反発が若干生じうるものの、罫線加工の部分が減少することで、生産性及び作業性が向上する。
【００５５】
さらには、段ボール箱３１の側壁の上縁に設けたコの字状切欠は、開口方向を下方向に設けてもよいし、上下方向のコの字状切欠部を混在させてもよい。このようなコの字状切欠を有する段ボール箱によっても、折り曲げた際の上面側フラップの反発性を抑えることができる。またこのコの字状切欠部は、側壁の上縁として、内側の上面側フラップとの縁に加えて、外側の上面側フラップとの縁にも設けてよいし、１つの側壁の上縁のみに設けてもよい。いずれの段ボール箱においても、このコの字状切欠を設けた側壁から延出する上面側フラップを折り曲げた際の反発性を低減させることができる。
【産業上の利用可能性】
【００５６】
以上のように、本発明の段ボール箱によれば、多段積みに対する耐圧強度が高く、かつ汎用性に優れ、軽量かつ薄型化により、環境負荷の低減、搬送効率の向上、在庫スペースの削減を実現できるため、商品を梱包、運搬するための段ボール箱として用いられ、特に重量のある本等を梱包する段ボール箱として好適に用いることができる。
【符号の説明】
【００５７】
１、３１  段ボール箱
２、３、４、５、３３、３５側壁
６、７、８、９、３７、３９  上側フラップ
１０、１１、１２、１３  下側フラップ
１４  糊代部
１５  外側天井部
１６  折曲端面部
１７  内側天井部
１８  内壁部
１９、２０、２１、２２  折目線
２３  線分状切欠
２４  先端縁
２５  溝部分
４０  コの字状切込
４１  突起部
ａ    下面
ｂ    上面
【図１】
0003157149.tif 000003
【図２】
0003157149.tif 000004
【図３】
0003157149.tif 000005
【図４】
0003157149.tif 000006
【図５】
0003157149.tif 000007